(57)【要約】【課題】エラーを解決するためにヘルプディスクの連絡先を調べることの手間を無くし、重大なエラー発生時に直ちにヘルプディスクの連絡先を知ること。【解決手段】本装置１の使用者側で解決不可能な重大なエラーが本装置１に発生すると、当該重大なエラーを解除するための連絡先情報をレシートプリンタ５によりレシートにプリントアウトする。【選択図】図３
2011186831.tif 000002
【特許請求の範囲】
【請求項１】
各種データを処理する情報処理部と、
前記情報処理部により処理された結果を表示するディスプレイと、
前記情報処理部により処理された結果をプリントアウトするプリンタと、
当該装置に使用者側で解決不可能なエラーが発生すると、予め設定されたエラー情報に基づいて連絡先情報を少なくとも前記プリンタによりプリントアウトするエラー連絡先報知部と、
を具備することを特徴とするプリンタを有する情報処理装置。
【請求項２】
前記エラー情報は、少なくとも前記エラーの内容と、前記エラーが前記使用者側で解決不可能なエラーを識別する情報とを含み、
前記エラー情報を記憶するエラー情報記憶部を有し、
前記エラー解除報知部は、前記エラー情報記憶部に記憶されている前記エラー情報に基づいて前記エラーが前記使用者側で解決不可能であるか否かを識別し、前記使用者側で解決不可能であれば、前記連絡先情報を前記プリンタによりプリントアウトする、
ことを特徴とする請求項１記載のプリンタを有する情報処理装置。
【請求項３】
前記エラー情報は、少なくとも前記エラー内容と、前記エラー内容を識別する情報とを含み、
前記エラー情報および対応するエラー解除情報を記憶するエラー情報記憶部を有し、
前記エラー解除報知部は、発生したエラーに対応するエラー情報内の識別情報を元にエラー解除情報を前記ディスプレイに表示するか、前記プリンタによりプリントアウトするかを決定する、
ことを特徴とする請求項１記載のプリンタを有する情報処理装置。
【請求項４】
前記エラー解除情報は、サービスマンコールをするための前記連絡先情報であることを特徴とする請求項３記載のプリンタを有する情報処理装置。
【請求項５】
各種データを処理し、
前記処理された結果をディスプレイに表示し、
前記処理された結果をプリンタによりプリントアウトし、
前記各種データを処理する装置に使用者側で解決不可能なエラーが発生すると、予め設定されたエラー情報に基づいて連絡先情報を少なくとも前記プリンタによりプリントアウトする、
ことを特徴とする情報処理方法。
【請求項６】
コンピュータに、
各種データを処理する情報処理機能と、
前記情報処理機能により処理された結果をディスプレイに表示する表示機能と、
前記情報処理機能により処理された結果をプリンタによりプリントアウトするプリント機能と、
前記各種データを処理する装置に使用者側で解決不可能なエラーが発生すると、予め設定されたエラー情報に基づいて連絡先情報を少なくとも前記プリンタによりプリントアウトする報知機能と、
を実現することを特徴とするエラー連絡先報知プログラム。
【発明の詳細な説明】
【技術分野】
【０００１】
本発明は、例えば商品名やその単価等の商品データを登録精算し、この精算結果をレシート等にプリントアウトするプリンタを備える電子キャッシュレジスタ（ＥＣＲ）又はＰＯＳ端末等の情報処理装置及びその方法並びにエラー連絡先報知プログラムに関する。
【背景技術】
【０００２】
例えば電子キャッシュレジスタ又はＰＯＳ端末等の情報処理装置は、店舗において、消費者が購入する商品名やその単価等の商品データを登録精算し、この精算結果等の取り引き情報をプリントしたレシート等を発行する。このような情報処理装置は、登録精算等の使用中に、エラーが発生すると、このエラーコードをディスプレイに表示したり、或いはエラーの内容を表示し、キャッシャー等の利用者にエラーが発生していることを知らせている。例えば、特許文献１は、エラー発生時に、発生したエラーに対するエラー対応用の表示情報を管理装置に要求し、この管理装置により読み出されたエラー対応用の表示情報を画像形成装置の表示部に表示することを開示する。
【発明の概要】
【発明が解決しようとする課題】
【０００３】
しかしながら、装置に使用者側で解決不可能な重大なエラー、例えば部品の交換を必要とするエラーやハードディスクが動かない等のハードウエア上のエラー等が発生した場合、エラーコードを表示したり、エラー内容を表示したとしても、使用者では、当該エラーを解決することが不可能である。このような重大なエラーが発生した場合、使用者は、当該装置のエラーを解決するためにヘルプディスク、例えばサービス部門等の連絡先として例えば電話番号を調べなければならず、手間を要する。
【０００４】
本発明の目的は、エラーを解決するためにヘルプディスクの連絡先を調べることの手間を無くし、重大なエラー発生時に直ちにヘルプディスクの連絡先を知ることができる情報処理装置及び方法並びにエラー連絡先報知プログラムを提供することにある。
【課題を解決するための手段】
【０００５】
本発明の主要な局面に係るプリンタを有する情報処理装置は、各種データを処理する情報処理部と、情報処理部により処理された結果を表示するディスプレイと、情報処理部により処理された結果をプリントアウトするプリンタと、当該装置に使用者側で解決不可能なエラーが発生すると、予め設定されたエラー情報に基づいて連絡先情報を少なくともプリンタによりプリントアウトするエラー連絡先報知部とを具備する。
【０００６】
本発明の主要な局面に係る情報処理方法は、各種データを処理し、処理された結果をディスプレイに表示し、処理された結果をプリンタによりプリントアウトし、各種データを処理する装置に使用者側で解決不可能なエラーが発生すると、予め設定されたエラー情報に基づいて連絡先情報を少なくともプリンタによりプリントアウトする。
【０００７】
本発明の主要な局面に係るエラー連絡先報知プログラムは、コンピュータに、各種データを処理する情報処理機能と、情報処理機能により処理された結果をディスプレイに表示する表示機能と、情報処理機能により処理された結果をプリンタによりプリントアウトするプリント機能と、各種データを処理する装置に使用者側で解決不可能なエラーが発生すると、予め設定されたエラー情報に基づいて連絡先情報を少なくともプリンタによりプリントアウトする報知機能とを実現する。
【発明の効果】
【０００８】
本発明によれば、エラーを解決するためにヘルプディスクの連絡先を調べることの手間を無くし、重大なエラー発生時に直ちにヘルプディスクの連絡先を知ることができる情報処理装置及び方法並びにエラー連絡先報知プログラムを提供できる。
【図面の簡単な説明】
【０００９】
【図１】本発明に係るＥＣＲ端末に適用した情報処理装置の一実施の形態を示す外観図。
【図２】同装置の機能ブロック図。
【図３】同装置におけるＣＰＵに有する機能を示すブロック図。
【図４】同装置におけるエラー情報を示す模式図。
【図５】同装置によりレシートプリンタにプリントされた連絡先情報の一例を示す図。
【図６】同装置におけるエラー連絡先報知フローチャート。
【発明を実施するための形態】
【００１０】
以下、本発明の一実施の形態について図面を参照して説明する。  
図１はＥＣＲ端末に適用した情報処理装置の外観図を示し、図２は本装置の機能ブロック図を示す。本装置１には、キーボード２と、オペレータディスプレイ３と、客面ディスプレイ４と、レシートプリンタ５と、バーコードスキャナ６が設けられている。キーボード２は、例えばキャッシャー等の操作を受けて商品に付されたコード、価格等を入力する。オペレータディスプレイ３は、キャッシャー側に向いて設けられ、商品の登録情報、精算結果を表示する。客面ディスプレイ４は、お客側に向いて設けられ、商品の精算結果を表示する。レシートプリンタ５は、精算結果をレシート等にプリントアウトする。バーコードスキャナ６は、商品に付されたバーコードを読み取る。
【００１１】
本装置１は、ＣＰＵ１０を搭載する。このＣＰＵ１０には、キーボード２と、オペレータディスプレイ３と、客面ディスプレイ４と、レシートプリンタ５と、バーコードスキャナ６とが接続されている。又、ＣＰＵ１０には、データメモリ１１と、プログラムメモリ１２と、通信装置１３とが接続されている。
【００１２】
プログラムメモリ１２には、予めエラー連絡先報知プログラムが記憶されている。このエラー連絡先報知プログラムは、コンピュータ（ＣＰＵ１０）に、バーコードスキャナ６により読み取られた商品に付されたバーコード等から商品名や価格等の各種データを登録精算等する処理を行う情報処理機能と、この情報処理機能により処理された結果をオペレータディスプレイ３に表示する表示機能と、情報処理機能により処理された結果をレシートプリンタ５によりプリントアウトするプリント機能と、各種データを処理する本装置１に使用者側で解決不可能な上記重大なエラーが発生すると、予め設定されたエラー情報に基づいて当該エラーを解除するための連絡先情報を少なくともレシートプリンタ５によりプリントアウトする報知機能とを実現する。  
通信装置１３は、外部装置、例えばＰＯＳサーバとの間でデータ通信を行う。
【００１３】
ＣＰＵ１０は、プログラムメモリ１２に記憶されているエラー連絡先報知プログラムを実行することにより図３に示すように登録精算部２０と、エラー連絡先報知部２１と、エラー解除報知部２４とを有する。登録精算部２１は、バーコードスキャナ６により読み取られた商品に付されたバーコードに対応する商品名、単価等を登録し、これら商品の単価を精算処理する。  
エラー連絡先報知部２１は、本装置１の使用者側で解決不可能な重大なエラーが本装置１に発生すると、予め設定されたエラー情報に基づいて当該重大なエラーを解除するための連絡先情報をレシートプリンタ５によりレシートにプリントアウトする。
【００１４】
図４はエラー情報Ｅの模式図を示す。このエラー情報Ｅは、エラー情報記憶部として例えばデータメモリ１１に予め記憶されている。このエラー情報Ｅは、エラーコードＥＣと、エラー名称ＥＭと、エラーの解除方法の識別番号ＥＤとからなる。エラーコードＥＣは、各種エラー別のコードを示すもので、例えば「Ｅ００１」「Ｅ００２」等である。エラー名称ＥＭは、各種エラー内容の名称を示すもので、例えば「入力エラー」「カッターエラー」等である。エラーの解除方法の識別番号ＥＤは、各種エラーの解除方法を識別する番号を示すもので、例えば「１」「２」「３」等である。
【００１５】
当該識別番号「１」は、当該装置１の電源を投入「ＯＮ」した状態で解除できるエラーを示す。当該識別番号「１」は、エラーコードＥＣに対応するエラーの解除方法のデータをオペレータディスプレイ３に表示させる識別情報である。  
識別番号「２」は、当該装置１の電源を遮断「ＯＦＦ」して解除できるエラーを示す。当該識別番号「２」は、エラーコードＥＣに対応するエラーの解除方法のデータをレシートプリンタ５によりプリントアウトさせる識別情報である。
【００１６】
識別番号「３」は、サービスマンコールを必要とすることを示す。当該識別番号「３」は、サービスマンコールをオペレータディスプレイ３に表示させる識別情報である。当該サービスマンコールを必要とする重大なエラーは、例えば、当該装置１内に使用されている部品の交換、例えばキーボード２のキーの交換、バーコードスキャナ６からの信号が無く当該バーコードスキャナ６の交換を必要とする第１のエラー、メモリエラーやハードディスクが動かない等のハードウエア上の第２のエラー、ソフトウエアのリセットを数回行ってもリセットされない等のソフトウエア上の第３のエラー、通信装置１３を通して外部装置、例えばＰＯＳサーバとの間で通信ができない通信エラーである第４のエラー等である。
【００１７】
データメモリ１１には、サービスマンコールを必要とする識別番号「３」の重大なエラーが発生したときの連絡先情報が記憶されている。この連絡先情報は、例えばサービス部門等の連絡先として例えば電話番号、サービス部門等の名称、住所等であり、いわゆるサービスマンコールの連絡先である。
【００１８】
エラー連絡先報知部２１は、データメモリ１１に記憶されているエラー情報Ｅを読み出し、このエラー情報Ｅにおける識別番号ＥＤからサービスマンコールを必要とするエラーであるか否かを識別し、識別番号「３」でサービスマンコールを必要とするエラーであれば、データメモリ１１から連絡先情報としてサービスマンコールの連絡先の情報を読み出し、当該サービスマンコールの連絡先をレシートプリンタ５によりプリントアウトする。
【００１９】
具体的にエラー連絡先報知部２１は、上記図３に示すように重大エラー判断部２２とプリント部２３とを有する。重大エラー判断部２２は、本装置１にエラーが発生したか否かを判定し、エラーが発生すると、当該エラーのエラーコードＥＣに従ってデータメモリ１１に記憶されているエラー情報Ｅからエラー名称ＥＭと、エラーの解除方法識別番号ＥＤとを検索し、この検索されたエラーの解除方法識別番号ＥＤからサービスマンコールを必要とする識別番号「３」であるか否かを判定する。
【００２０】
プリント部２３は、重大エラー判断部２２による判定の結果、サービスマンコールを必要とする識別番号「３」であれば、データメモリ１１に記憶されている連絡先情報としてサービスマンコールの連絡先の情報を読み出し、当該サービスマンコールの連絡先をレシートプリンタ５によりプリントアウトする。図５はレシートプリンタ５によりレシート３０にプリントされた連絡先情報３１の一例を示す。連絡先情報３１は、例えば電話番号、サービス部門等の名称、住所等から成る。
【００２１】
エラー解除報知部２４は、本装置１に発生したエラーが重大でなければ、例えば識別番号「１」「２」に対応する「入力エラー」「カッターエラー」等の軽度なエラーであれば、当該エラーの内容をオペレータディスプレイ３に表示し、さらに当該エラーの解除方法をオペレータディスプレイ３に表示又はレシートプリンタ５によりプリントアウトのうちいずれか一方又は両方を行う。この場合、エラー解除報知部２４は、本装置１の電源を投入した状態でエラーが解除可能であれば、当該エラーの解除方法をオペレータディスプレイ３に表示し、本装置１の電源を遮断しなければ解除できないエラーであれば、当該エラーの解除方法をレシートプリンタ５によりプリントアウトする。
【００２２】
次に、上記の如く構成された装置１におけるエラー連絡先の報知について図６に示すエラー連絡先報知フローチャートに従って説明する。  
エラー連絡先報知部２１は、ステップＳ１において、本装置１にエラーが発生したか否かを判定する。この判定の結果、エラーが発生すると、重大エラー判断部２２は、ステップＳ２において、当該エラーのエラーコードＥＣに従ってデータメモリ１１に記憶されているエラー情報Ｅからエラー名称ＥＭと、エラーの解除方法識別番号ＥＤとを検索する。重大エラー判断部２２は、検索されたエラーの解除方法識別番号ＥＤからサービスマンコールを必要とする識別番号「３」であるか否かを判定する。
【００２３】
この判定の結果、エラーがサービスマンコールを必要とする識別番号「３」の重大エラー、例えば、当該装置１内に使用されている部品の交換、例えばキーボード２のキーの交換、バーコードスキャナ６からの信号が無く当該バーコードスキャナ６の交換を必要とする第１のエラー、メモリエラーやハードディスクが動かない等のハードウエア上の第２のエラー、ソフトウエアのリセットを数回行ってもリセットされない等のソフトウエア上の第３のエラー、通信装置１３を通して外部装置、例えばＰＯＳサーバとの間で通信ができない通信エラーである第４のエラー等であれば、重大エラー判断部２２は、サービスマンコールを必要とする重大なエラーの旨をプリント部２３に通知する。
【００２４】
プリント部２３は、重大エラー判断部２２からサービスマンコールを必要とする重大なエラーの旨の通知を受けると、ステップＳ３において、データメモリ１１に記憶されている連絡先情報としてサービスマンコールの連絡先の情報を読み出し、上記図５に示すように当該サービスマンコールの連絡先をレシートプリンタ５によりプリントアウトする。
【００２５】
このとき、エラー連絡先報知部２１は、本装置１における部品の交換を必要とする第１のエラー、ハードウエア上の第２のエラー、ソフトウエア上の第３のエラー、又は通信系の第４のエラーのうち重大なエラー内容をオペレータディスプレイ３に表示する。この結果、使用者は、レシート３０にプリントされたヘルプディスクとしてのサービス部門等の電話番号に直ちに電話を掛けることができる。
【００２６】
一方、重大なエラーでなく、上記図４に示す各識別番号「１」「２」に対応する軽度なエラーであれば、エラー解除報知部２４は、ステップＳ４において、当該軽度なエラーの内容をオペレータディスプレイ３に表示し、さらに当該エラーの解除方法をデータメモリ１１から読み出し、オペレータディスプレイ３に表示又はレシートプリンタ５によりプリントアウトする。例えば、エラー解除報知部２４は、軽度なエラーとして例えばレシートプリンタ５の外装カバーが開放されたカバーオープンのエラー、カッターエラー、キーボード２に対する操作ミス等の入力エラー等を解除するための方法をオペレータディスプレイ３に表示又はレシートプリンタ５によりプリントアウトする。例えばカバーオープンのエラーであれば、エラー解除報知部２４は、例えば「レシートプリンタ５の外装カバーを閉じてください」をオペレータディスプレイ３に表示する。装置１の電源を遮断「ＯＦＦ」して解除できる「カッターエラー」であれば、データメモリ１１からエラー解除方法を読み出して、レシートプリンタ５によりレシートにプリントアウトする。なお、エラーの解除方法は、オペレータディスプレイ３に表示とレシートプリンタ５によるプリントアウトとの両方で行ってもよい。
【００２７】
尚、本実施の形態では、識別番号「２」「３」を別々に取り扱ったが、同じ識別番号としてもよい。この場合、例えば識別番号「２」がエラー解除方法をプリントアウトする識別番号であるとし、プリントアウトする各エラーコードに対応した情報をエラーの解除方法のデータもしくは、ヘルプディスクとしてのサービス部門等の電話番号とすればよい。エラーが発生した場合、この識別情報からプリントアウトするか否かを決定し、この決定に基づいて各エラーコードに対応する情報を抽出し、表示、プリントアウト又はその両方を行うようすればよい。
【００２８】
このように上記一実施の形態によれば、本装置１の使用者側で解決不可能な重大なエラーが本装置１に発生すると、当該重大なエラーを解除するための連絡先情報をレシートプリンタ５によりレシートにプリントアウトする。これにより、使用者は、エラーを解決するためにヘルプディスクの連絡先を調べることの手間を無くすことができ、レシート３０にプリントアウトされた連絡先情報３１からヘルプディスクとしてのサービス部門等の電話番号に直ちに電話を掛けることができる。
【００２９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３０】
上記一実施の形態は、ＥＣＲ端末に適用した場合について説明したが、これに限らず、各種データを処理し、この処理された結果を表示するディスプレイと、その処理結果をプリントアウトするプリンタとを備えた装置であれば、適用可能である。
【符号の説明】
【００３１】
１：本装置、２：キーボード、３：オペレータディスプレイ、４：客面ディスプレイ、５：レシートプリンタ、６：バーコードスキャナ、１０：ＣＰＵ、１１：データメモリ、１２：プログラムメモリ、１３：通信装置、２０：登録精算部、２１：エラー連絡先報知部、２２：重大エラー判断部、２３：プリント部、２４：エラー解除報知部、３０：レシート、３１：連絡先情報。
【先行技術文献】
【特許文献】
【００３２】
【特許文献１】特開２００７−３０４９３６号公報
【図１】
2011186831.tif 000003
【図２】
2011186831.tif 000004
【図３】
2011186831.tif 000005
【図４】
2011186831.tif 000006
【図５】
2011186831.tif 000007
【図６】
2011186831.tif 000008